(57)【要約】      （修正有）【課題】着用時の締め付け感がなく、バストを脇から引き寄せることが可能な女性用下着を提供する。【解決手段】着用者の乳房部位を被覆する一対のカップ部１と、該カップ部の下辺から連続して着用者の胴回りを被覆する身頃本体５と、該身頃本体の脇下および前記カップ部の横辺からカップ部前方にかけて設けられた伸縮性を有する一対の横引き寄せ部３とを設ける。さらに、前記一対の横引き寄せ部の間に連続して設けられた伸縮性を有する中央引き寄せ部２と、前記カップ部に接続する一対の肩紐４を備えて該女性用下着とする。また、前記横引き寄せ部のカップ部に対する最上位の縫合部１２をカップ部横辺１１の中央部付近に設ける。【選択図】図１
0003171812.tif 000002
【実用新案登録請求の範囲】
【請求項１】
着用者の乳房部位を被覆する一対のカップ部と、該カップ部の下辺から連続して着用者の胴回りを被覆する身頃本体と、該身頃本体の脇下および前記カップ部の横辺からカップ部前方にかけて設けられた伸縮性を有する一対の横引き寄せ部と、前記一対の横引き寄せ部の間に連続して設けられた伸縮性を有する中央引き寄せ部と、前記カップ部に接続する一対の肩紐を備えた女性用下着であって、前記横引き寄せ部のカップ部に対する最上位の縫合部がカップ部横辺の中央部付近に設けられたことを特徴とする女性用下着。
【請求項２】
前記中央引寄せ部と前記横引寄せ部の張力に差を設けたことを特徴とする請求項１に記載の女性用下着。
【請求項３】
前記中央引寄せ部が前記横引き寄せ部より強い張力を有することを特徴とする請求項１または請求項２のいずれかに記載の女性用下着。
【請求項４】
前記中央引き寄せ部の下辺の一部又は全部を身頃本体に固定したことを特徴とする請求項１ないし３のいずれか１項に記載の女性用下着。
【考案の詳細な説明】
【技術分野】
【０００１】
本考案は、バストの寄せ効果や押し上げ効果を有する女性用の下着に関するものである。
【背景技術】
【０００２】
従来、女性が着用するカップ部を有するブラジャー等の下着類において、バストを前方に寄せて持ち上げる効果を持たせたものが知られており、例えば、特許文献１では、左右のカップ部を前中心に向かって寄せるための寄せ部材を設けたことにより、バストの寄せ効果やバストの押し上げ効果などの促進が図られるブラジャーが開示されている。また、特許文献２では、バストを覆うための一対のカップ部と、バストを前中心に向けて引き寄せるための引寄部とを有する衣類において、引寄部の下辺部の布地パワーは、引寄部の上辺部の布地パワーより強いブラジャーが開示されている。さらに、特許文献３では、バストを覆うための一対のカップ部と、バストを前中心に向けて引き寄せるための一対の引寄部とを有する衣類において、一対の引寄部は、それぞれ、左右方向に連結する第１部分と第２部分とを有している衣類が開示されている。
【０００３】
しかし、特許文献１および２のものは、引寄部が肩紐に連結されているため、締め付けが強く、着け心地に問題がある。一方、特許文献３のものは、引寄部は第１部分と第２部分とに分かれているものの、肩紐に連結している点は特許文献１および２と同様であり、やはり締め付けが強く、着け心地に問題がある。さらに、特許文献２および３のものは、引寄部がカップ横より前方に設けられているため、カップ横より後方の脇部分に流れているバストを引き寄せる効果が薄いという問題を有していた。
【先行技術文献】
【特許文献】
【０００４】
【特許文献１】特開２００７−３２１２４９
【特許文献２】特開２０１１−３２５９１
【特許文献３】特開２０１０−２３６１３２
【考案の概要】
【考案が解決しようとする課題】
【０００５】
そこで本考案は、着用時の締め付け感がなく、バストを脇から引き寄せることが可能な女性用下着を提供することをその課題とするものである。
【課題を解決するための手段】
【０００６】
本考案は、上記課題を解決するものであり、着用者の乳房部位を被覆する一対のカップ部と、該カップ部の下辺から連続して着用者の胴回りを被覆する身頃本体と、該身頃本体の脇下および前記カップ部の横辺からカップ部前方にかけて設けられた伸縮性を有する一対の横引き寄せ部と、前記一対の横引き寄せ部の間に連続して設けられた伸縮性を有する中央引き寄せ部と、前記カップ部に接続する一対の肩紐を備えた女性用下着であって、前記横引き寄せ部のカップ部に対する最上位の縫合部がカップ部横辺の中央部付近に設けられたことを特徴とする女性用下着である。
【考案の効果】
【０００７】
本考案の女性用下着は、横引き寄せ部のカップ部に対する最上位の縫合部が、肩紐の接合部から離れたカップ部横辺の中央部付近に設けられていることにより、肩紐からの締め付け感が少なく、バストアップ効果を奏しつつも着心地が優れている。また、横引き寄せ部は着用者の脇下から縫着されているため、脇側に流れているバストを有効に引き寄せることが可能である。
【０００８】
さらに、本考案の女性用下着で、中央引き寄せ部の一部を身頃本体に固定したものは、バストを下からしっかり安定して支えることができるため、より有効に引き寄せ効果を得ることができる。
【図面の簡単な説明】
【０００９】
【図１】本考案に係る女性用下着の斜視図。
【図２】本考案に係る女性用下着の正面図。
【図３】本考案に係る女性用下着の一部を切り欠いた拡大図。
【考案を実施するための形態】
【００１０】
以下、本考案の女性用下着の一実施態様を、図面に基づいて具体的に説明する。なお、本考案はこれら実施態様に何ら制約されるものではない。
【００１１】
図１は本考案に係る女性用下着の斜視図、図２は同正面図、図３は一部拡大図である。図中、１はカップ部、２は中央引き寄せ部、３は横引き寄せ部、４は肩紐、５は身頃本体、１１はカップ部横辺、１２は最上位縫合部、２１は中央引き寄せ部上辺、２２は縫合部、２３は中央引寄せ部下辺、３１は横引き寄せ部上辺、３２は横引き寄せ部横辺、３３は横引き寄せ部脇辺、３４は表地、３５は裏地、４１は肩紐接合部をそれぞれ示す。
【００１２】
図１に示すように、本考案にかかる女性用下着は、乳房部位を被覆するカップ部１と、そのカップ部１の上部に接合された肩紐４と、カップ部１以外の身頃を構成する身頃本体５、さらに、カップ部１の横から正面にかけて設けられた横引き寄せ部３と中央引き寄せ部２とからなる。
【００１３】
以下、各部位について詳述する。まず、カップ部１は左右の乳房を被覆するように形成され、カップ部１の最上部には肩紐４との接合部４１が形成されている。そして、カップ部１の下辺からは、身頃本体５が縫着されている。なお、本実施例は身頃本体５を有するいわゆるキャミソールタイプのものであるが、本考案はこれに限定されず、通常のブラジャーやハーフトップタイプの下着などにも応用することができる。
【００１４】
各図に示すように、カップ部１の横から正面にかけて、一対の横引き寄せ部３と、中央引き寄せ部２が一連に形成されている。横引き寄せ部３は、横引き寄せ部脇辺３３が着用者の脇下で身頃本体５に縫着され、横引き寄せ部横辺３２がカップ部横辺１１に沿って縫着されている。このとき、横引き寄せ部横辺３２の最上位の縫合部１２は、肩紐４との接合部４１からやや離れたカップ部横辺１１の中央付近になるように縫着されている。横引き寄せ部３は伸縮性を有する素材により形成され、本実施態様では、図３に示すように、ナイロンなどにポリウレタン弾性繊維を交編して形成されるいわゆるパワーネットの下地３５と、ストレッチレースの表地３４より構成されている。このようにパワーネットとレース生地を使用することにより、強い緊締力と装飾性とを両立することができ好ましい。そして、横引き寄せ部３は接合部４１から離れたカップ部横辺１１に最上位縫合部１２を有しているため、肩紐４からの締め付けが緩和される。さらに、横引き寄せ部脇辺３３が着用者の脇下から縫着されているため、脇側に流れているバストを有効に引き寄せることができる。
【００１５】
横引き寄せ部３と縫合部２２において縫着された中央引き寄せ部２は伸縮性を有する素材により形成され、一対のカップ部の正面下部に位置するように配されている。中央引き寄せ部２と横引き寄せ部３は張力に差を設け、より好ましくは中央引寄せ部２の張力を横引寄せ部３より強くする。これによりバストを引き寄せる効果を高めることができる。本実施態様では、中央引寄せ部２は伸縮性を有するパワーネットを二重にして横引寄せ部３より張力が強くなるように形成されている。この中央引き寄せ部２の張力と、横引き寄せ部横辺３２の張力とが相俟ってバスト中央への引っ張り力が働くため、バストの引き寄せ効果を得ることができる。なお、中央引き寄せ部２は必ずしもパワーネット生地が二重である必要はなく、三重、四重の構成にしてもよい。また、使用するポリウレタン弾性繊維を張力の強いものにしたり、打ち込み本数を増やすことで生地を一枚で構成しても十分なバストの引き寄せ効果を得ることができる。
【００１６】
中央引き寄せ部２は縫合部２２においてのみ横引き寄せ部横辺３２と縫着されていればよいが、中央引き寄せ部２の下辺２３において、身頃本体５に対し縫着等により固定してもよい。このように、中央引き寄せ部２の下辺２３の一部又は全部を固定することにより、バストを下からしっかり安定して支えることができるため、好ましい。
【００１７】
中央引き寄せ部２と横引き寄せ部３は、カップ部１のおよそ下半分を支持するものであれば、バストを前中心に寄せるとともに下側から持ち上げて胸の形を美しく整えることが可能であるが、中央引き寄せ部上辺２１と横引き寄せ部上辺３１により形成されるラインが着用者の乳頭の下方を通るように形成すれば、バストをより安定的に支持できるため好ましい。
【符号の説明】
【００１８】
１……カップ部
２……中央引き寄せ部
３……横引き寄せ部
４……肩紐
５……身頃本体
１１……カップ部横辺
１２……最上位縫合部
２１……中央引き寄せ部上辺
２２……縫合部
２３……中央引寄せ部下辺
３１……横引き寄せ部上辺
３２……横引き寄せ部横辺
３３……横引き寄せ部脇辺
３４……表地
３５……下地
４１……肩紐接合部
【図１】
0003171812.tif 000003
【図２】
0003171812.tif 000004
【図３】
0003171812.tif 000005